(57)【特許請求の範囲】
【請求項１】
換気を行う送風機と、該送風機を連続運転モード、間欠運転モード、および連続停止モードの３つの運転モードのいずれかで運転する制御装置とを備えた熱交換換気装置であって、
前記制御装置は、
前記送風機の運転／停止を操作ごとに設定する運転設定手段と、
前記送風機を所定の時間運転し、所定の時間停止させる間欠運転の設定と設定解除を操作ごとに行う間欠運転設定手段と、
前記運転設定手段又は前記間欠運転設定手段により前記送風機が運転設定されているか否かを判定する運転判定手段と、
間欠運転モード時の予め決められた運転時間と前記送風機の運転時間との長短を判定する運転時間判定手段と、
間欠運転モード時の予め決められた停止時間と前記送風機の停止時間との長短を判定する停止時間判定手段と、
前記運転判定手段の判定結果と前記運転時間判定手段又は前記停止時間判定手段の判定結果とを基に現在の運転モードを判断して、現在の運転モードが前記連続運転モード又は前記連続停止モードのときに前記間欠運転設定手段が操作されると、前記送風機の運転モードを間欠運転モードに移行させ、前記間欠運転モードで前記送風機が運転状態にあるときに前記運転設定手段が操作されると、前記送風機の運転モードを連続停止モードに移行させ、前記間欠運転モードで前記送風機が運転状態にあるときに前記間欠運転設定手段が操作されると、前記送風機の運転モードを連続運転モードに移行させ、前記間欠運転モードで前記送風機が停止状態にあるときに前記運転設定手段が操作されると、前記送風機の運転モードを連続運転モードに移行させ、前記間欠運転モードで前記送風機が停止状態にあるときに前記間欠運転設定手段が操作されると、前記送風機の運転モードを連続停止モードに移行させる制御手段と、
を有する換気装置。
【請求項２】
請求項１に記載の換気装置であって、前記制御手段は、現在の運転モードが前記連続運転モードのときに前記運転設定手段が操作されると、前記送風機の運転モードを連続停止モードに移行させ、前記連続停止モードのときに前記運転設定手段が操作されると、前記送風機の運転モードを連続運転モードに移行させる換気装置。
【請求項３】
請求項１又は２に記載の換気装置であって、送風機が給気用と排気用の二機で構成され、間欠運転時には給気用送風機のみによる間欠運転を行うことができるようにした換気装置。
【請求項４】
請求項１〜請求項３までのいずれかに記載の換気装置であって、運転設定手段や間欠運転設定手段等をリモートコントローラ上に構成した換気装置。
【請求項５】
請求項１〜請求項４までのいずれかに記載の換気装置であって、送風機の風量を可変に設定できる風量設定手段を備えた換気装置。
【請求項６】
請求項１〜請求項５までのいずれかに記載の換気装置であって、送風機の運転状態を表示する表示手段を備えた換気装置。
【発明の詳細な説明】
【０００１】
【発明の属する技術分野】
本発明は、換気風量を可変できる換気装置に関するものであり、より詳しくは換気風量を送風機を間欠運転させることにより調節できる換気装置に関するものである。
【０００２】
【従来の技術】
換気装置の換気風量を可変にする仕方としては、送風機のモーターのノッチを変更して段階的に換気風量を制御する方法や、送風機のモーターへの通電を位相制御して連続的に換気風量を制御する方法の他に、送風機を間欠的に運転させて換気風量を制御する方法等が知られている。これらの中で送風機を間欠的に運転させ換気風量を制御する風量制御装置に関して、特開平７―３３２７１７号公報には、間欠運転時においても連続的な換気風量を設定できる制御技術が示されている。これは図６に示すように間欠運転設定手段３０と風量設定手段３１とがマイクロコンピューター３２に接続されている。マイクロコンピューター３２には間欠運転認識手段３３、風量認識手段３４、風量ノッチ接続配分記憶手段３５、繰返し時間設定記憶手段３６、運転判断手段３７が構成されている。
【０００３】
間欠運転認識手段３３は、間欠運転設定手段３０による間欠運転設定を認識する。風量認識手段３４は、風量設定手段３１による設定風量を例えば５段階の風量として認識する。風量ノッチ接続配分手段３５は、各換気風量に対する各風量ノッチの接続時間の配分を記憶している。繰返し時間設定記憶手段３６は、各風量ノッチの接続配分の繰返し時間を記憶している。運転判断手段３７は、風量認識手段３４の換気風量をもとに風量ノッチ接続配分記憶手段３５と繰返し時間設定記憶手段３６の繰返し時間を参照して経過時点がどの風量ノッチの接続時点なのかを決定し、送風機のモーター３８の電源回路のスイッチング手段３９を動作させる。この構成により、間欠運転時においても微風量まで対応する連続的な換気風量を設定でき、換気による温度変化の穏やかな風量制御が可能となっている。
【０００４】
【発明が解決しようとする課題】
上記した従来の換気装置において、大きな換気風量が必要な場合には連続運転に設定されるが、連続運転にして室内が換気された後、間欠運転を行わせるには、風量設定手段３１を再度操作しなくてはならないうえ、風量設定とは別に間欠運転の設定又は解除には、間欠運転設定手段３０を運転操作の前又は後に必ず操作しなくてはならず、間欠運転の設定／解除がしにくく使い難いといった問題点がある。また、間欠運転状態における間欠停止の間は換気が全く行われないため室内空気の雰囲気が悪化することがあるといった問題点もある。
【０００５】
本発明は、係る従来の問題点を解決するためになされたものであって、その課題とするところは、送風機の間欠運転の設定及び解除の簡単な使い易い換気装置を得ることであり、間欠停止の間も換気機能を果たす換気装置を得ることであり、その装置の機能の拡充を推進することである。
【０００６】
【課題を解決するための手段】
前記課題を達成するために請求項１の発明の換気装置は、換気を行う送風機と、送風機を連続運転モード、間欠運転モード、および連続停止モードの３つの運転モードのいずれかで運転する制御装置とを備えた熱交換換気装置であって、制御装置は、送風機の運転／停止を操作ごとに設定する運転設定手段と、送風機を所定の時間運転し、所定の時間停止させる間欠運転の設定と設定解除を操作ごとに行う間欠運転設定手段と、運転設定手段又は間欠運転設定手段により送風機が運転設定されているか否かを判定する運転判定手段と、間欠運転モード時の予め決められた運転時間と送風機の運転時間との長短を判定する運転時間判定手段と、間欠運転モード時の予め決められた停止時間と送風機の停止時間との長短を判定する停止時間判定手段と、運転判定手段の判定結果と運転時間判定手段又は停止時間判定手段の判定結果とを基に現在の運転モードを判断して、現在の運転モードが連続運転モード又は連続停止モードのときに間欠運転設定手段が操作されると、送風機の運転モードを間欠運転モードに移行させ、間欠運転モードで送風機が運転状態にあるときに運転設定手段が操作されると、送風機の運転モードを連続停止モードに移行させ、間欠運転モードで送風機が運転状態にあるときに間欠運転設定手段が操作されると、送風機の運転モードを連続運転モードに移行させ、間欠運転モードで送風機が停止状態にあるときに運転設定手段が操作されると、送風機の運転モードを連続運転モードに移行させ、間欠運転モードで送風機が停止状態にあるときに間欠運転設定手段が操作されると、送風機の運転モードを連続停止モードに移行させる制御手段とを有する。
【００１１】
【発明の実施の形態】
実施の形態１．
図１〜図４によって示す本実施の形態は、室内の空気を吸込み内蔵の熱交換器１の一方の流体通路を経て室外へ排気し、室外の空気を吸込み内蔵の熱交換器１の他方の流体通路を経て室内へ給気する熱交換形換気装置に関するものである。この熱交換換気装置は、給気通路２に給気流を形成する給気用送風機３が、排気通路４に排気流を形成する排気用送風機５が組込まれている。給気用送風機３と排気用送風機５は制御部６によりその各モーターの運転が制御される。制御部６は信号線７により接続されたリモートコントローラ（以降リモコンと称す）８とともに制御装置を構成し、リモコン８により熱交換換気装置の運転が遠隔操作できるようになっている。
【００１２】
リモコン８には液晶パネル等による表示手段９とともに、運転設定手段１０と間欠運転設定手段１１と風量切換え手段１２が配設されている。リモコン８は、運転設定手段１０が操作されるごとに運転指令又は停止指令を信号線７を介して制御部６に送信し、また、間欠運転設定手段１１が操作されるごとに間欠運転のセット指令又はリセット指令を信号線７を介して制御部６に送信する。間欠運転のリセットは運転設定手段１０の操作によっても行われる。そして、風量切換え手段１２が操作されると強風量、弱風量の風量指令を信号線７を介して制御部６に送信する。
【００１３】
リモコン８にはマイクロコンピューター（以降マイコンと称す）１３が組込まれ、図４のフローチャートで示すような内部処理動作を行う。リモコン８のマイコン１３には、運転設定手段１０又は間欠運転設定手段１１により給気用送風機３と排気用送風機５が運転設定されているか否かを判定する運転判定手段１４と、間欠運転時の予め決められた値ｔ１の運転時間と給気用送風機３と排気用送風機５の運転時間Ｔ１との長短を判定する運転時間判定手段１５と、間欠運転時の予め決められた値ｔ２の停止時間と給気用送風機３と排気用送風機５の停止時間Ｔ２との長短を判定する停止時間判定手段１６とを有し、出力処理手段１７により信号線７を介して制御部６に運転／停止指令を送信する。
【００１４】
即ち、図４の♯１で運転判定手段１４は、運転設定手段１０又は間欠運転設定手段１１の操作により給気用送風機３と排気用送風機５が運転設定されているか停止設定されているかの判定を行う。運転設定であれば♯２の処理に進み、♯２において運転時間Ｔ１をカウントして♯３に進む。♯１において停止設定であれば♯１４において運転時間Ｔ１をクリアする処理をして♯１５において停止指令を制御部６に送信する。♯３では運転時間判定手段１５により運転時間Ｔ１が所定の値ｔ１以上になったかどうかを判定し、ｔ１≦Ｔ１であれば♯４において運転時間Ｔ１をクリアする処理をして♯５に進む。♯３でｔ１≦Ｔ１でなければ、♯１０の処理に進み♯１０で出力処理手段１７により運転指令を送信する処理を行う。♯５においては間欠運転がセットされているかどうかの判定を行い、間欠運転がセットされていれば♯６において停止指令を送信する処理を行い♯７に進む。
【００１５】
♯７では停止時間Ｔ２をカウントする処理を行い♯８に進む。♯８では停止時間判定手段１６により停止時間Ｔ２が所定の値ｔ２以上になったかどうかを判定し、ｔ２≦Ｔ２であれば♯９において停止時間Ｔ２をクリアする処理をして♯１０において出力処理手段１７により運転指令を送信する処理を行い動作を終了する。♯８でｔ２≦Ｔ２でなければ、♯５の処理に戻る。♯５において間欠運転がリセットであれば♯１１において停止時間Ｔ２をクリアする処理を行い♯１２に進む。♯１２では運転設定手段１０又は間欠運転設定手段１１の操作において給気用送風機３及び排気用送風機５が運転設定されているかどうかを判定する。運転設定されていれば♯１０の処理により運転指令を制御部６に送信する処理をして動作を終了する。♯１２で運転設定されていなければ♯１３において停止指令を制御部６に送信する処理をして動作を終了する。
【００１６】
所定の値ｔ１，ｔ２は適宜設定される値であり、例えば、所定の値ｔ１，ｔ２をｔ１＝３０分、ｔ２＝３０分という値に設定した場合、リモコン８の間欠運転設定手段１１が操作されると、熱交換換気装置は３０分間運転した後３０分間停止という動作を繰返して行う間欠運転モードとなる。ｔ１＝２０分、ｔ２＝１０分という値に設定した場合、熱交換換気装置は２０分間運転した後１０分間停止という動作を繰返して行う間欠運転モードとなる。このような間欠運転モード、♯１から♯１０のフローで示す動作で運転しているとき、再度間欠運転設定手段１１が操作されると、♯５、♯１２、♯１０のフローで示す動作となり、運転を続けるモード（連続運転モード）になる。また、上記間欠運転モードで運転しているとき、再度運転設定手段１０が操作されると、♯５、♯１２、♯１３のフローで示す動作となり、停止を続けるモード（連続停止モード）になり、次に運転設定手段１０が操作されれば連続運転モードに遷移し、連続停止モードの次に間欠運転設定手段１１が操作され再度間欠運転モードとなる。
【００１７】
即ち、１．リモコン８が運転指令を送信中で、間欠運転がセットされている場合に、運転設定手段１０が操作されると連続停止モードになり、この後さらに運転設定手段１０が操作されると連続運転モードとなる。従って、間欠運転中に停止させ、次に連続運転をさせたい場合、運転設定手段１０の操作のみで行うことができ、間欠運転の設定の解除と運転操作を行う必要はない。
【００１８】
２．リモコン８が停止指令を送信中で、間欠運転がセットされている場合に、間欠運転設定手段１１が操作されると連続停止モードになる。従って、間欠停止状態のときに連続停止させたい場合、間欠運転設定手段１１の操作のみで行うことができ、間欠運転の設定の解除と停止操作を行う必要はない。
【００１９】
３．連続停止モード中に、間欠運転設定手段１１が操作された場合には間欠運転モードになる。従って、連続停止状態から間欠運転モードにしたい場合、間欠運転設定手段１１の操作のみで行うことができ、連続運転操作と間欠運転の設定操作を行う必要はない。
【００２０】
４．リモコン８が運転指令を送信中で、間欠運転がセットされている場合に、間欠運転設定手段１１が操作されると連続運転モードに切換わる。連続運転中に間欠運転設定手段１１が操作されると間欠運転モードに切換わる。連続運転中に運転設定手段１０が操作されると連続停止モードに切換わる。給気用送風機３，排気用送風機５が停止しているときで、間欠運転がセットされている場合、運転設定手段１０が操作されると連続運転モードに切換わる。
【００２１】
間欠運転における間欠停止時には給気用送風機３も排気用送風機５も無通電であるため熱交換換気装置の消費電力は少なく省エネ運転となる。マイコン１３の出力処理手段１７はこうした運転モードを分かり易く表示手段９に表記や記号或いはＬＥＤの点滅等により表示させる。こうすることにより、連続停止状態にあるのか間欠停止状態にあるのかの区別が容易にでき使い勝手が向上する。なお、風量切換え手段１２は連続運転モード及び間欠運転モードでの換気風量を設定するものである。また、リモコン８のマイコン１３の構成を制御部６に構成することもできる他、この制御の仕方は熱交換換気装置以外の換気装置にも同様にして適用することができる。
【００２２】
実施の形態２．
図５によって示す本実施の形態は、実施の形態１で示した熱交換換気装置に間欠運転時における間欠停止時にも換気機能を持たせる工夫を講じたものであり、それに係る構成以外は実施の形態１のものと同じである。従って、実施の形態１と同じ部分は実施の形態１のものと同じ符号を用いそれらについての説明は省略する。
【００２３】
本実施の形態のリモコン８の間欠運転設定手段１１も、操作ごとに間欠運転のセット／リセットを行う。間欠運転がセットされたときは、リモコン８のマイコン１３は、給気用送風機３に対してのみ間欠運転を実施し、排気用送風機５については間欠運転させない。リモコン８の内部処理動作は図５のフローチャートに示すとおり、実施の形態１についての図４に示したフローチャートの♯６が給気用送風機３の停止指令をする処理に変わるだけで、その他の処理動作は変わらない。本実施の形態の熱交換換気装置にあっては、間欠運転には排気用送風機５は関与しないため、間欠停止時にも排気用送風機５による換気機能が働く。従って、間欠運転においても換気量を大幅に減少させることがなく、快適性の高い換気雰囲気を形成することができる。これ以外の機能は実施の形態１のものと同じである。
【００２４】
【発明の効果】
この発明によれば、送風機の間欠運転の設定及び解除の簡単な使い易い換気装置が得られる。
【図面の簡単な説明】
【図１】  実施の形態1の熱交換換気装置の構成図である。
【図２】  実施の形態1の熱交換換気装置のリモコンを示す正面図である。
【図３】  実施の形態1の熱交換換気装置のリモコンの構成を示す構成図である。
【図４】  実施の形態1の熱交換換気装置のリモコンの内部処理動作を示すフローチャートである。
【図５】  実施の形態２の熱交換換気装置のリモコンの内部処理動作を示すフローチャートである。
【図６】  従来の換気装置の制御装置の構成図である。
【符号の説明】
３  給気用送風機、  ５  排気用送風機、  ８  リモコン、  ９  表示手段、
１０  運転設定手段、  １１  間欠運転設定手段、  １２  風量切換え手段、
１４  運転判定手段、  １５  運転時間判定手段、  １６  停止時間判定手段。
【図１】
0004252168.tif 000002
【図２】
0004252168.tif 000003
【図３】
0004252168.tif 000004
【図４】
0004252168.tif 000005
【図５】
0004252168.tif 000006
【図６】
0004252168.tif 000007